(57)【要約】【課題】  インクジェットプリンタを用いアロマテラピーで使用するエッセンシャルオイルや植物精油の量を容易に定量できるシステムを提供する。【解決手段】  （１）インクまたは記録液にエッセンシャルオイルや植物精油を含有させ、記録物に付着させる香料を定量化する。  （２）十分なアロマテラピー効果を発揮させるために、症状診断プログラムにより、最適な組み合わせの香料（精油）を自動で選択する。  （３）症状に合わせた癒し効果の画像をプリントする。【選択図】  図１
2007168114.tif 000002
【特許請求の範囲】
【請求項１】
インクジェットプリンタを備え、前記インクジェットプリンタのインクタンク中の記録液中に、前記記録液を構成するキャリアオイルに対して一定比率のエッセンシャルオイルを含有しており、印刷時に定量的に記録液を記録媒体に吐出し画像を形成し、画像が形成された記録媒体を溶媒に入れたとき、エッセンシャルオイル成分は溶媒に溶け出すが前記記録媒体上の画像は保持されていることを特徴とするアロマテラピーシステム。
【請求項２】
請求項1に記載のアロマテラピーシステムにおいて、画像が形成された記録媒体を入れる溶媒が水の場合、全身浴、手浴、足浴のアロマテラピー処方種類に応じてそれぞれの必要量のエッセンシャルオイルを定量できるアロマテラピーシステム。
【請求項３】
請求項1のアロマテラピーシステムにおいて画像が形成された記録媒体を入れる溶媒がマッサージ用オイルの場合、使用するマッサージ用オイルの量に応じたエッセンシャルオイルを定量できるアロマテラピーシステム。
【請求項４】
請求項1のアロマテラピーシステムにおいてインクタンク中の記録液にインク及びエッセンシャルオイルを含有し、エッセンシャルオイル濃度が１％Wt以上且つ50%Wt以下であることを特徴とするアロマテラピーシステム。
【請求項５】
請求項４のアロマテラピーシステムにおいて画像はエッセンシャルオイルを含むインクにより形成されることを特徴とするアロマテラピーシステム。
【請求項６】
請求項４のアロマテラピーシステムにおいて、画像はエッセンシャルオイルを含まないインクにより形成され、画像上または余白部にエッセンシャルオイルを定量含む記録液を定量吐出することを特徴とするアロマテラピーシステム。
【請求項７】
請求項1のアロマテラピーシステムにおいてインクジェットプリンタに接続された操作端末にアロマテラピー診断ソフトがインストールされており、利用者の性別、年齢、体調、精神状態を少なくとも入力ことにより、前記入力に応じたエッセンシャルオイルの選択及びエッセンシャルオイルのブレンドを提供することを特徴とするアロマテラピーシステム。
【請求項８】
請求項７のアロマテラピーシステムにおいて、前記入力に応じたエッセンシャルオイルまたはエッセンシャルオイルのブレンドを含んだ記録液で印刷画像を提供することを特徴とするアロマテラピーシステム。
【請求項９】
請求項1のアロマテラピーシステムにおいてインクタンク中の記録液を容器に少なくとも直接吐出させエッセンシャルオイルを定量することを特徴とするアロマテラピーシステム。
【発明の詳細な説明】
【技術分野】
【０００１】
本発明はインクジェットプリンタを用い、アロマテラピーで使用するエッセンシャルオイルや植物精油の量を定量できるアロマテラピーシステムである。
【背景技術】
【０００２】
アロマテラピーで用いるエッセンシャルオイルまたは植物精油をインクジェットで吐出する方法としては既に何件か提案されており、空気中に飛散噴霧する方法や、インク等に含有させ画像を形成し芳香性を付与させる等の芳香浴で用いられている例がある。
【０００３】
一方アロマテラピーの分野においてエッセンシャルオイルや植物精油を芳香浴で用いる以外にも、適量のお湯にエッセンシャルオイルや植物精油を入れ、全身浴や手浴、足浴のような部分浴として直接肌に処方する場合や、さらに、マッサージ用のオイルにエッセンシャルオイルや植物精油を溶解させ直接肌にすり込んで処方する場合もある。
【０００４】
元来エッセンシャルオイルや植物精油はテルペン類やエステル類、アルコール類等の化学物質が非常に高濃度に配合された液体であり、原液の状態で直接肌に処方することは出来なく許容濃度が決められている。許容濃度より高い濃度で肌に処方した場合、副作用として皮膚が赤くなったり肌荒れを引き起こし、ひどい場合には皮膚に炎症を引き起こす場合もある。また逆に濃度が低すぎる場合、十分なアロマテラピー効果が期待できない。
【０００５】
そのため直接皮膚に処方する場合のエッセンシャルオイルや植物精油濃度を規定する方法として、エッセンシャルオイル瓶または精油瓶からの一滴を約0.05mlと仮定し、許容濃度になるよう液滴数で必要量を算出して全身浴や部分浴に用いたり、マッサージオイルに溶解させるのが一般的であった。
【０００６】
さらに、心身上の症状に効果のある最適なエッセンシャルオイルまたは植物精油の選出及びブレンドについては専門知識がないと出来ないのが現状である。
【特許文献１】特開平9-150526号公報
【特許文献２】特開平9-150527号公報
【特許文献３】特開平9-151343号公報
【発明の開示】
【発明が解決しようとする課題】
【０００７】
従来の方法ではエッセンシャルオイル瓶または精油瓶からの一滴を約0.05mlとし必要量を算出しているが、瓶の種類により一滴の体積も異なり、また、他のエッセンシャルオイルや植物精油とブレンドする場合、全体の正確な量を定量するのは困難である。さらに、全身浴用の浴槽で用いる場合と部分浴である手浴、足浴の場合の用いる水またはお湯の量の違いによりエッセンシャルオイルや植物精油の必要量が異なる。
【０００８】
マッサージオイルを調合する場合キャリアオイルに対してエッセンシャルオイルや植物精油濃度を1％wt未満に限定する必要があり、キャリアオイル量に対してその都度必要量を算出しなければならず、数種のエッセンシャルオイルを混合させる場合、煩雑な計算と作業になりミスを誘発しやすい。
【０００９】
特に少量のキャリアオイルにエッセンシャルオイルを調合する場合、従来の計量方法では5mlのキャリアオイルに対してエッセンシャルオイル瓶一滴分である0.05mlで1％wtの許容量になってしまい、エッセンシャルオイルのブレンドが不可能である。従って、ブレンドの場合、計量可能なエッセンシャルオイル量に対してキャリアオイル量が規定され、結果的に必要量以上のマッサージオイルが出来上がってしまう。一度キャリアオイルで希釈したエッセンシャルオイル成分は変質しやすい為作り置きが出来ないのが現状であり、無駄が発生していた。
【００１０】
本発明は上記の問題点に鑑みて成されたものであり、インクジェットプリンタの吐出量が一定かつ正確であることを利用し、記録液にエッセンシャルオイルや植物精油を定量含有させることにより、人体の皮膚に処方する際の正確な必要量を容易に提供することであり、かつ記録液により心身にリラックス効果のある画像も同時に提供することを目的とする。
【課題を解決するための手段】
【００１１】
上記の目的を達成する為に、インクジェットプリンタシステムにおいて、インクタンク中の記録液に少なくともエッセンシャルオイルを定量含有しており、印字時に定量的にエッセンシャルオイルを記録媒体に吐出し画像を形成し、画像が形成された記録媒体を溶媒に入れたとき、エッセンシャルオイル成分は溶媒に溶け出すが画像は保持されていることを特徴とするものである。
【００１２】
また、上記本発明において画像が形成された記録媒体を入れる溶媒が水の場合、全身浴、手浴、足浴、沐浴のアロマテラピー処方種類に応じてそれぞれの必要量のエッセンシャルオイルが定量でき、画像が形成された記録媒体を入れる溶媒がマッサージ用オイルの場合、使用するマッサージ用オイルの量に応じた必要量のエッセンシャルオイルを定量できることを特徴とするものである。
【００１３】
さらに、本発明のインクタンク中の記録液に少なくともインク及びエッセンシャルオイルを含有し、エッセンシャルオイル濃度が１％wt〜50%wtであることを特徴とし、画像はエッセンシャルオイルを含むインクにより形成されるか、或いはエッセンシャルオイルを含まないインクにより形成され、エッセンシャルオイルを定量含む記録液でエッセンシャルオイルを含まないインクで形成された画像上または余白部に定量吐出することを特徴とするものである。
【００１４】
また、本発明のアロマテラピーシステムはインクジェットプリンタに接続された操作端末（以下、PCと表現する）にアロマテラピー診断ソフトがインストールされており、利用者の性別、年齢、体調、精神状態等を入力ことにより、状況に応じた最適なエッセンシャルオイルのブレンドを提供し、かつ最適な印字画像を提供することを特徴することをするものである。
【００１５】
なお、吐出による画像形成のほかにインクタンク中の記録液を容器等に直接吐出させエッセンシャルオイルを定量することを特徴するものである。
【発明の効果】
【００１６】
上記の如く本発明によれば、インクジェットプリンタシステムにおいて、インクタンク中の記録液に少なくともエッセンシャルオイルを定量含有しており、印字時に定量的にエッセンシャルオイルを記録媒体に吐出し画像を形成し、水またはお湯に記録媒体を入れたとき、全身浴、手浴、足浴、沐浴のアロマテラピー処方種類に応じてそれぞれの必要量のエッセンシャルオイルを容易に定量でき、マッサージ用オイルに記録媒体を入れたとき、使用するマッサージ用オイルの量に応じた必要量のエッセンシャルオイルを容易に定量することが可能となる。
【００１７】
さらに、インクジェットプリンタに接続されたPCにアロマテラピー診断ソフトがインストールされており、利用者の性別、年齢、体調、精神状態等を入力ことにより、状況に応じた最適なエッセンシャルオイルのブレンドを容易に提供し、かつアロマテラピー効果を高める最適な印字画像を提供することが可能となる。
【発明を実施するための最良の形態】
【００１８】
次に、本発明の詳細を実施例の記述に従って説明する。
【００１９】
本アロマテラピーシステムを用いて最高の効果を得るためには、以下の形態が望ましい。
【実施例１】
【００２０】
図1に本アロマテラピーシステムを用いて浴槽での全身浴用のエッセンシャルオイルの定量方について説明する。
【００２１】
PCに接続されたインクジェットプリンタのインクタンク中にインク色材のほかにエッセンシャルオイルが定量含有されている。具体的にはブラックのインクにはローズマリー、シアンのインクにはペパーミント、マゼンタのインクにはラベンダー、イエローのインクにはレモン、ブルーのインクにはティーツリー、レッドのインクにはベルガモット、グリーンのインクにはユーカリ、グレーにはイランイラン、それぞれ25%Wt含有されている。
【００２２】
PC上のアロマテラピーソフトより手動および沐浴モードを選択し吐出方法と使用するエッセンシャルオイルの種類を選ぶ。例として、ラベンダーエッセンシャルオイルを用いた浴槽による全身浴の場合を示す。一般的な家庭の浴槽にエッセンシャルオイルを用いる場合0.25グラムと言われている。（日本アロマテラピー協会テキストより）。使用するエッセンシャルオイルとしてラベンダーを選んだとき、A4全体の80％領域に100％Dutyでラベンダーのエッセンシャルオイルを含んだマゼンタインクを吐出してラベンダーの花の画像が記録紙に印字される。A4全体の40％領域に100％Dutyで吐出されるインク量は0.5グラムとなる様設定されており、このときのエッセンシャルオイルの量は0.5グラム×2×25%Wt＝0.25グラムとなる。
【００２３】
画像が形成された記録紙を適温の湯を張った浴槽に入れることにより、エッセンシャルオイルが湯に溶け出しアロマテラピー効果を奏する。インク色材は記録紙に保持される為画像を鑑賞しながら全身浴が可能である。
【実施例２】
【００２４】
図3に本アロマテラピーシステムを用いてエッセンシャルオイルを用いたマッサージオイルの製法について説明する。
【００２５】
実施例1でのPCに接続されたインクジェットプリンタにおいて、PC上で手動およびマッサージオイル調合モードを選びキャリアオイル量とエッセンシャルオイルを選び、濃度は1％wtとする。エッセンシャルオイルとしてペパーミントを選び10mlのマッサージ用キャリアオイルを指定した場合、必要なエッセンシャルオイル量は0.1グラムであり、ペパーミント25％wt濃度のシアンインクを用いA4記録紙全体の32％に100％Dutyで印字する。A4全体の40％領域に100％Dutyで吐出されるインク量は0.5グラムとなる様設定されており、このときのエッセンシャルオイルの量は0.5グラム×32/40×25%Wt＝0.1グラムとなる。
【００２６】
画像部分を切り取り適当な蓋つきの瓶にオイルと切り取った記録紙を入れ、攪拌することによりキャリアオイルにエッセンシャルオイル成分が溶け1％Wtのマッサージオイルが出来上がる。
【実施例３】
【００２７】
図4に、色材が入ったインクタンク部と前インクタンクに用いられている同じ溶媒で、25％wtで希釈されたエッセンシャルオイルが含まれたアロマタンク部に分かれている場合について説明する。
【００２８】
色材が入ったインクタンクはイエロー、 シアン、 マゼンタの3種類あり、アロマタンク部にはそれぞれペパーミント、ラベンダー、ティーツリー、ベルガモット、ユーカリが25％wt入っている。
【００２９】
実施例1と同様に浴槽での全身浴でラベンダーを選択したばあい、癒し効果のある画像はYellow Cyan Magentaの3色で形成され、同時にA4全体の80％領域に100％Dutyでアロマタンクから希釈されたラベンダー香料が吐出される。アロマタンクからの吐出は画像上及び余白の両方に可能である。
【００３０】
A4全体の40％領域に100％Dutyで吐出されるインク量は0.5グラムとなる様設定されており、このときのエッセンシャルオイルの量は0.5グラム×2×25%Wt＝0.25グラムとなる。
【００３１】
印字された記録紙を適温の湯を張った浴槽に入れることにより、エッセンシャルオイルが湯に溶け出しアロマテラピー効果を奏する。インク色材は記録紙に保持される為画像を鑑賞しながら全身浴が可能である。
【実施例４】
【００３２】
図3に、色材が入ったインクタンク部と前インクタンクに用いられている同じ溶媒で、25％wtで希釈されたエッセンシャルオイルが含まれたアロマタンク部に分かれている場合について、エッセンシャルオイルを用いたマッサージオイルの製法について説明する。
【００３３】
色材が入ったインクタンクはイエロー、 シアン、 マゼンタの3種類あり、アロマタンク部にはそれぞれペパーミント、ラベンダー、ティーツリー、ベルガモット、ユーカリが25％wt入っている。
【００３４】
実施例2と同様にPCに接続されたインクジェットプリンタにおいて、PC上でマッサージオイル調合モードを選びキャリアオイル量とエッセンシャルオイルを選び、濃度は1％wtとする。エッセンシャルオイルとしてベルガモットを選び10mlのマッサージ用キャリアオイルを指定した場合、必要なエッセンシャルオイル量は0.1mlであり、ベルガモット25％wt濃度の記録液を用いA4記録紙全体の32％に100％Dutyで印字する。画像部分を切り取り適当な蓋つきの瓶にオイルと切り取った記録紙を入れ、攪拌することによりキャリアオイルにエッセンシャルオイル成分が溶け1％Wtのマッサージオイルが出来上がる。この場合、インク色材による画像形成を行っても良く、エッセンシャルオイルを含む記録液だけでもよい。
【実施例５】
【００３５】
実施例１〜実施例４において、自動モードによりエッセンシャルオイルの選択およびブレンドを確定してもよい。
【実施例６】
【００３６】
図4に、エッセンシャルオイルを含んだ記録液を記録紙に吐出する代わりに、直接小分け容器に吐出する方法について説明する。
【００３７】
実施例2および4においてエッセンシャルオイルを含んだ記録液を小分け容器に直接吐出する。あらかじめ小分け容器にキャリアオイルを定量入れておくか、エッセンシャルオイルを吐出した後で定量のキャリアオイルを入れても良い。
【００３８】
なお、図２は、本発明の実施形態の内部システムフロー図であり、図5は、本発明の第４の実施形態であるエッセンシャルオイルを含む記録液を用いたマッサージオイルの製法の代表図である。又、図６は、本発明の第６の実施形態であるエッセンシャルオイルを含むインクを用い、容器に直接吐出することによるマッサージオイルの製法の代表図であり、図７は、本発明の第６の実施形態であるエッセンシャルオイルを含む記録液を用い、容器に直接吐出することによるマッサージオイルの製法の代表図である。
【図面の簡単な説明】
【００３９】
【図１】本発明の第１の実施形態で、エッセンシャルオイルを含むインクによる全身浴を行う場合の代表図である。
【図２】本発明の実施形態の内部システムフロー図である。
【図３】本発明の第２の実施形態であるエッセンシャルオイルを含むインクを用いたマッサージオイルの製法の代表図である。
【図４】本発明の第３の実施形態であるエッセンシャルオイルを含む記録液による全身浴を行う場合の代表図である。
【図５】本発明の第４の実施形態であるエッセンシャルオイルを含む記録液を用いたマッサージオイルの製法の代表図である。
【図６】本発明の第６の実施形態であるエッセンシャルオイルを含むインクを用い、容器に直接吐出することによるマッサージオイルの製法の代表図である。
【図７】本発明の第６の実施形態であるエッセンシャルオイルを含む記録液を用い、容器に直接吐出することによるマッサージオイルの製法の代表図である。
【符号の説明】
【００４０】
1  インクジェットプリンタ
2  ローズマリーオイルを25％wt含有しているブラックインクタンク
3  ペパーミントオイルを25％wt含有しているシアンインクタンク
4  ラベンダーオイルを25％wt含有しているマゼンタインクタンク
5  レモンオイルを25％wt含有しているイエローインクタンク
6  ティーツリーオイルを25％wt含有しているブルーインクタンク
7  ベルガモットオイルを25％wt含有しているレッドインクタンク
8  ユーカリオイルを25％wt含有しているグリーンインクタンク
9  イランイランオイルを25％wt含有しているグレーインクタンク
10  全身浴用記録紙
11  アロマテラピー対象者
12  PC
13  浴槽
14  マッサージオイル作成用記録紙
15  マッサージオイル作成用容器
16  画像形成用シアンインクタンク
17  画像形成用イエローインクタンク
18  画像形成用マゼンタインクタンク
19  ペパーミントオイルを25％wt含有している記録液タンク
20  ラベンダーオイルを25％wt含有しているシアンインクタンク
21  ティーツリーオイルを25％wt含有しているシアンインクタンク
22  ベルガモットオイルを25％wt含有しているシアンインクタンク
23  ユーカリオイルを25％wt含有しているシアンインクタンク
24  全身浴用記録紙
25  マッサージオイル作成用記録紙
26  プリンタから直接吐出によるマッサージオイル作成用容器
【図１】
2007168114.tif 000003
【図２】
2007168114.tif 000004
【図３】
2007168114.tif 000005
【図４】
2007168114.tif 000006
【図５】
2007168114.tif 000007
【図６】
2007168114.tif 000008
【図７】
2007168114.tif 000009